(57)【要約】【課題】レール部材（３６）の内側及び隅柱（１２）の上方空間に進入した雨水の荷室内への進入を防止すると共に上記雨水を荷室外に排水する排水構造を有した箱型荷台を提供すること。【解決手段】レール部材（３６）の内側及び隅柱（１２）の上端部に、レール部材（３６）の内側及び隅柱（１２）の上方空間に進入した雨水を隅柱（１２）の内側に設けられた排水路（１６）に案内する案内手段（１８、６０）を設ける。【選択図】図４
2018052410.tif 000002
【特許請求の範囲】
【請求項１】
天面パネルと複数の側面パネルとを有する直方体形状の車両用の箱型荷台であって、
前記天面パネルの辺部と前記側面パネルの上縁部とはレール部材を介して固定され、９０度の角度間隔を有して隣接する２つの前記側面パネルの各々は上下方向に延びる隅柱を介して相互に固定され、
前記隅柱の内側には、上下方向に延び上端及び下端が開放された筒状の排水路が設けられた箱型荷台において、
前記レール部材の内側及び前記隅柱の上端部には、前記レール部材の内側及び前記隅柱の上方空間に進入した雨水を前記排水路に案内する案内手段が設けられている、ことを特徴とする箱型荷台。
【請求項２】
前記案内手段は前記隅柱の上端部に配設されるコーナー部材と、前記レール部材の内側において前記コーナー部材へ前記雨水を誘導する誘導路とを有する、請求項１に記載の箱型荷台。
【請求項３】
前記コーナー部材は前記排水路に通ずる排水口と、前記雨水を前記排水口に案内する案内路とを有する、請求項２に記載の箱型荷台。
【請求項４】
前記案内路の全部又は一部は前記排水口に向かって下方に傾斜している、請求項３に記載の箱型荷台。
【請求項５】
前記コーナー部材はコーナー底壁と、コーナー内側壁と、コーナー外側壁とを有し、
前記案内路は前記コーナー部材の上面において前記コーナー底壁と、前記コーナー内側壁と、前記コーナー外側壁とによって規定されている、請求項３又は４に記載の箱型荷台。
【請求項６】
前記コーナー部材の下面には前記排水口を囲んで下方に延びる筒状の案内ノズルが設けられ、前記案内ノズルが前記排水路の内側に挿入される、請求項３乃至５のいずれかに記載の箱型荷台。
【請求項７】
前記コーナー部材は車両進行方向前方に位置する前記隅柱の上端部に配設されている、請求項２乃至６のいずれかに記載の箱型荷台。
【請求項８】
前記レール部材は前記天面パネルの各辺部に沿って配設されるルーフレールを含み、
前記ルーフレールは前記側面パネルの上端面と対向するルーフフランジと、前記ルーフフランジの外側縁から上方に延びるルーフ外側壁と、前記ルーフフランジの内側縁部において少なくとも上方に延びるルーフ内側壁とを有し、
前記誘導路は前記ルーフフランジと、前記ルーフ外側壁と、前記ルーフ内側壁とによって規定される、請求項２乃至７のいずれかに記載の箱型荷台。
【請求項９】
前記ルーフフランジの延出端部の下面が前記コーナー部材の端部の上面と密着する、請求項８に記載の箱型荷台。
【請求項１０】
前記ルーフレールは前記ルーフフランジの外側縁から下方に垂下するルーフ垂下壁を有する、請求項８又は９に記載の箱型荷台。
【請求項１１】
前記レール部材は夫々の前記側面パネルの上縁部に沿って配設されるサイドレールを含み、
前記サイドレールは前記側面パネルの上端面と面接触するサイドフランジと、前記サイドフランジの内側縁部から上方に起立するサイド起立壁とを有する、請求項１乃至１０のいずれかに記載の箱型荷台。
【発明の詳細な説明】
【技術分野】
【０００１】
本発明は、排水構造を有する箱型荷台に関するものである。
【背景技術】
【０００２】
貨物輸送用の車両であるトラックの荷台として、天面パネルと複数の側面パネルとを有する直方体形状の車両用の箱型荷台が広く普及している。箱型荷台には、風雨等による貨物の損傷を防止でき、梱包を簡易化できるとともに荷崩れの防止も容易である、という利点がある。かような箱型荷台には、雨水が荷室内に進入して収納された貨物を濡らさないようにするための排水構造が設けられていることが多い。
【０００３】
排水構造を備えた箱型荷台の一例として、本願の出願人による先の特許出願にかかる下記特許文献１に記載の箱型荷台がある。特許文献１に記載された箱型荷台においては、天面パネルの辺部と側面パネルの上縁部とはレール部材を介して固定され、９０度の角度間隔を有して隣接する２つの側面パネルの各々は上下方向に延びる隅柱を介して相互に固定されている。隅柱の内側には上下方向に延びる筒状の排水路が設けられている。箱型荷台の上方隅部にはコーナーカバーが設けられており、このコーナーカバーの上面には、天面パネルの上面に溜まった雨水を隅柱の内側に設けられた排水路に案内する案内路及び排水口が形成されている。
【先行技術文献】
【特許文献】
【０００４】
【特許文献１】特許第４６９８１６４号公報
【発明の概要】
【発明が解決しようとする課題】
【０００５】
而して、上記特許文献１に開示されている形態の箱型荷台には、天面パネルの上面に溜まった雨水を路面に適宜排水するための排水構造が設けられているが、箱型荷台の荷室内、詳しくはレール部材の内側及び隅柱の上方空間（即ち隅柱の上方であって且つ上下方向に見て天面パネルよりも下方に規定される空間）、に進入した雨水を荷室外に排水するための排水構造は設けられていない。そのため、特許文献１に開示されている形態の箱型荷台には以下のような問題点がある。
【０００６】
例えば、コーナーカバーは一般にシリコンの如き適宜のシール材によりコーナーカバーの裏面に雨水が進入しないようシールされた状態で天面パネルの上面等に固定されているため、通常、案内路から逸脱した雨水がコーナーカバーの裏面（例えばコーナーカバーと天面パネルとの間）に進入することはない。しかしながら、シール材の経年劣化が進行するなどして上記シールが毀損された場合には、案内路から逸脱した雨水がシールの毀損した部位からコーナーカバーの裏面に進入した後に隅柱の上方空間に進入して貯留し、これが荷室内に飛散乃至溢れ出すなどして荷室内の貨物を濡らしてしまう虞がある。これにより、荷室内に収納された貨物が段ボールで梱包されている場合には、荷室内に飛散乃至溢れ出した雨水により段ボールが損壊し、内容物が露呈或いは損傷してしまう可能性がある。
また、箱型荷台の外面を高圧洗浄する際には、通常、作業者は下方から上方に向けて高圧の洗浄水を吹きかけることに起因して、洗浄水がレール部材の内側に進入してしまう可能性がある。この場合にも、レール部材の内側に進入した雨水（かかる場合には洗浄水）が荷室内に飛散乃至溢れ出すなどして、同様の問題を生じる虞がある。
【０００７】
本発明は上記事実に鑑みてなされたものであり、その主たる技術的課題は、レール部材の内側及び隅柱の上方空間に進入した雨水を荷室外に排水する排水構造を有した新規且つ改良された箱型荷台を提供することである。
【課題を解決するための手段】
【０００８】
本発明者等は、鋭意検討の結果、レール部材の内側及び隅柱の上端部に、レール部材の内側及び隅柱の上方空間に進入した雨水を隅柱の内側に設けられた排水路に向かって案内する案内手段を設けることによって、上記主たる技術的課題を解決することができることを見出した。
【０００９】
即ち、本発明によれば、天面パネルと複数の側面パネルとを有する直方体形状の車両用の箱型荷台であって、
前記天面パネルの辺部と前記側面パネルの上縁部とはレール部材を介して固定され、９０度の角度間隔を有して隣接する２つの前記側面パネルの各々は上下方向に延びる隅柱を介して相互に固定され、
前記隅柱の内側には、上下方向に延び上端及び下端が開放された筒状の排水路が設けられた箱型荷台において、
前記レール部材の内側及び前記隅柱の上端部には、前記レール部材の内側及び前記隅柱の上方空間に進入した雨水を前記排水路に案内する案内手段が設けられている、ことを特徴とする箱型荷台が提供される。
【００１０】
前記案内手段は前記隅柱の上端部に配設されるコーナー部材と、前記レール部材の内側において前記コーナー部材へ前記雨水を誘導する誘導路とを有するのが好ましい。この場合には、前記コーナー部材は前記排水路に通ずる排水口と、前記雨水を前記排水口に案内する案内路とを有するのがよい。この場合には更に、前記案内路の全部又は一部は前記排水口に向かって下方に傾斜していること、前記コーナー部材はコーナー底壁と、コーナー内側壁と、コーナー外側壁とを有し、前記案内路は前記コーナー部材の上面において前記コーナー底壁と、前記コーナー内側壁と、前記コーナー外側壁とによって規定されていること、前記コーナー部材の下面には前記排水口を囲んで下方に延びる筒状の案内ノズルが設けられ、前記案内ノズルが前記排水路の内側に挿入されること、が好ましい。前記コーナー部材は車両進行方向前方に位置する前記隅柱の上端部に配設されているのが好適である。前記レール部材は前記天面パネルの各辺部に沿って配設されるルーフレールを含み、前記ルーフレールは前記側面パネルの上端面と対向するルーフフランジと、前記ルーフフランジの外側縁から上方に延びるルーフ外側壁と、前記ルーフフランジの内側縁部において少なくとも上方に延びるルーフ内側壁とを有し、前記誘導路は前記ルーフフランジと、前記ルーフ外側壁と、前記ルーフ内側壁とによって規定されるのが好ましい。この場合には、前記ルーフフランジの延出端部の下面が前記コーナー部材の端部の上面と密着すること、前記ルーフレールは前記ルーフフランジの外側縁から下方に垂下するルーフ垂下壁を有するのがよい。前記レール部材は夫々の前記側面パネルの上縁部に沿って配設されるサイドレールを含み、前記サイドレールは前記側面パネルの上端面と面接触するサイドフランジと、前記サイドフランジの内側縁部から上方に起立するサイド起立壁とを有するのが好適である。
【発明の効果】
【００１１】
本発明に従って構成された箱型荷台においては、レール部材の内側及び隅柱の上方空間に進入した雨水が案内手段により隅柱の内側に設けられた排水路に案内されて荷室外に排水されるため、レール部材の内側及び隅柱の上方空間に進入した雨水によって荷室内に収納した貨物が濡れることが回避される。
【図面の簡単な説明】
【００１２】
【図１】本発明の箱型荷台を備えた車両の概要を示す斜視図。
【図２】図１にＡ−Ａ線で示す部分の拡大断面図。
【図３】図１にＢ−Ｂ線で示す部分の拡大断面図。
【図４】図１に示す箱型荷台のコーナーカバーを除去してコーナー部材を露呈させた状態の部分拡大斜視図。
【図５】図１に示す箱型荷台に配設されたコーナー部材の単体図。
【発明を実施するための形態】
【００１３】
以下、添付図面を参照して、本発明に従って構成された箱型荷台の好適実施形態について、更に詳述する。以下の説明において、前後、左右、上下、及び内外方向は、特に指定しない限り何れも車両進行方向を基準とする。
【００１４】
本発明の箱型荷台を備えた車両を図示している図１を参照して説明すると、全体を番号２で示す箱型荷台はトラック等の貨物搬送用車両の後部に載架される。箱型荷台２は天面パネル４と、前側面パネル６ａと、左側面パネル６ｂと、図示しない右側面パネルと（前側面パネル６ａ及び右側面パネル並びに左側面パネル６ｂをまとめて側面パネル６という）、床部材８と、図示しない後部ドアとを有する直方体形状である。床部材８の後端部には後部フレーム１０が固定されており、後部ドアは後部フレーム１０に嵌まり込んでいる。天面パネル４は薄板状部材であり、側面パネル６及び後部ドアは所定程度の厚みを有する中空板状部材である（図３を参照されたい）。
【００１５】
側面パネル６の夫々は床部材８の夫々の辺部において床部材８に対して垂直に起立した状態で適宜の方法で固定されている。９０度の角度間隔を有して隣接する２つの側面パネル６の各々は、床部材８の上面隅部において上下方向に直線状に延びる合成樹脂製の隅柱１２を介して相互に固定されている。図示の実施形態においては、隅柱１２は前方、即ち、前側面パネル６ａの左側縁部と左側面パネル６ｂの前側縁部とが相互に近接する位置、及び、前側面パネル６ａの右側縁部と右側面パネルの前側縁部とが相互に近接する位置に設けられている。所望ならば、隅柱１２は後方にも設けてもよいが、その場合には後部フレーム１０の左右の柱部を幾分内側に変位させ、隅柱１２が後部フレーム１０の柱部に固定されるようにする。
【００１６】
前方左側に設けられた隅柱１２について、図１と共に図２を参照して更に説明を続けると、隅柱１２の横断面形状は、円弧壁１２ａと、図２において円弧壁１２ａの時計方向上流端から前側面パネル６ａに向かって直線状に延びる前側延長壁１２ｂと、図２において円弧壁１２ａの時計方向下流端から左側面パネル６ｂに向かって直線状に延びる左側延長壁１２ｃとを有する。隅柱１２の横断面形状は更に、前側延長壁１２ｂの左側（図２においては右側）端部から後方に向かって左側面パネル６ｂと平行に直線状に延びる前側外方壁１２ｄと、前側延長壁１２ｂの右側（図２においては左側）端部から後方に向かって左側面パネル６ｂと平行に直線状に延びる前側内方壁１２ｅと、左側延長壁１２ｃの前方端部から右方（図２においては左方）に向かって前側面パネル６ａと平行に直線状に延びる左側前方壁１２ｆと、左側延長壁１２ｃの後方端部から右方（図２においては左方）に向かって前側面パネル６ａと平行に直線状に延びる左側後方壁１２ｇとをも有する。前側外方壁１２ｄと左側前方壁１２ｆとは９０度の角度間隔を有して相互に接続されている。隅柱１２の上端及び下端は開放されている。そして、前側内方壁１２ｅと前側面パネル６ａ、及び、左側後方壁１２ｇと左側面パネル６ｂ、は夫々側面パネル６の上端から下端まで上下方向に連続して延びる周知の防水テープ１４を介して密着した状態で、ボルトの如き図示しない適宜の固定手段により相互に固定されている。
【００１７】
隅柱１２の内側には、円弧壁１２ａと、前側外方壁１２ｄと、左側前方壁１２ｆとによって区画され断面が略扇形状である排水路１６が区画されている。排水路１６は隅柱１２に沿って上下方向に延びており、排水路１６の上端及び下端は開放されている。更に、排水路１６の下端と対向する床部材８の前方角部にも図示しない貫通開口が形成されており、従って排水路１６の下端は路面と対向して荷室の外部に連通している。
【００１８】
前方左側に設けられた隅柱１２について詳細に説明したが、上記隅柱１２の構成は前方右側に設けられる隅柱１２と左右対称であるため、かかる隅柱１２についての詳細な説明は省略する。
【００１９】
図４を参照して説明を続けると、隅柱１２の上端部には、隅柱１２の上方空間（即ち隅柱１２の上方であって且つ上下方向に見て天面パネル４よりも下方に規定される空間）に進入した雨水を排水路１６に案内する案内手段が配設されている。図示の実施形態においては、案内手段は、その一部が合成樹脂製のコーナー部材１８から構成され、このコーナー部材１８が隅柱１２の上端部に配設されている。コーナー部材１８について図５と共に図２及び図４を参照して説明する。図５（ａ）はコーナー部材１８の正面図、図５（ｂ）はコーナー部材１８の平面図、図５（ｃ）はコーナー部材１８のｃ−ｃ端面図、図５（ｄ）はコーナー部材１８のｄ−ｄ端面図、図５（ｅ）はコーナー部材１８のｅ−ｅ展開断面図である。
【００２０】
図５（ｂ）を参照して説明すると、コーナー部材１８は板状のコーナー底壁２０を有し、このコーナー底壁２０は平面視において横向きの略Ｌ字状であるが、その外側角部は円弧状に丸められている。このことからコーナー底壁２０は、平面視において、９０度の角度範囲に渡って外縁が円弧形状である中間角部２０ａと、この中間角部２０ａの時計方向下流端に位置する片端部２０ｂと、中間角部２０ａの時計方向上流端に位置する他端部２０ｃとに区画されている。コーナー底壁２０の上面には、その内側縁部においてコーナー底壁２０の外側縁と平行に上方に起立するコーナー内側壁２２と、その外側縁部の角部においてこれに沿って上方に起立するコーナー外側壁２４とが各々形成されている。コーナー外側壁２４は平面視において９０度よりも幾分小さい角度間隔に渡って延在している。換言すると、中間角部２０ａの周方向両端部にはコーナー外側壁２４は形成されていない。図５（ａ）を参照することによって理解されるとおり、コーナー内側壁２２とコーナー外側壁２４の上端位置は共に同一である。
【００２１】
平面視においてコーナー底壁２０におけるコーナー内側壁２２よりも内側部分には、図５（ｃ）及び（ｄ）を参照することによって理解されるとおり、比較的薄肉である平坦な内側縁部２５が設けられている。図５（ｃ）乃至（ｅ）を比較参照することによって理解されるとおり、内側縁部２５及びコーナー内側壁２２並びにコーナー外側壁２４を除いて、中間角部２０ａ（但し図５（ｂ）における周方向両端部を除く）及び片端部２０ｂ並びに他端部２０ｃにおけるコーナー底壁２０の上面は夫々平坦である。また、片端部２０ｂ及び他端部２０ｃにおけるコーナー底壁２０の肉厚は共に等しく、片端部２０ｂ及び他端部２０ｃにおけるコーナー底壁２０の肉厚は中間角部２０ｂ（但し図５（ｂ）における周方向両端部を除く）におけるコーナー底壁２０の肉厚よりも厚い。更にまた、中間角部２０ａの図５（ｂ）における周方向両端部のコーナー底壁２０の上面には周方向中央部に向かって下方に傾斜する傾斜部２６が設けられている。
【００２２】
図５と共に図２を参照して説明を続けると、コーナー底壁２０の下面には、コーナー部材１８を隅柱１２の上端に配設するための嵌合手段２８が設けられている。嵌合手段２８は、中間角部２０ａの下面において下方に垂下する断面略扇形状の第一の嵌合筒壁２８ａと、片端部２０ｂの下面において下方に垂下する断面略正方形の第二の嵌合筒壁２８ｂと、他端部２０ｃの下面において下方に垂下する断面略正方形の第三の嵌合筒壁２８ｃと、コーナー部材１８の外側縁から下方に垂下する嵌合垂下壁２８ｄとから構成されている。第一の嵌合筒壁２８ａは後述する案内ノズルを囲む。
【００２３】
図５と共に図２及び図４を参照して説明を続けると、コーナー部材１８は排水路１６に通ずる排水口３０と、後述するレール部材の内側及び隅柱１２の上方空間に進入した雨水を排水口３０に向かって案内する案内路３２とを有する。排水口３０は、図５（ｂ）において、コーナー底壁２０の中間角部２０ａの周方向中間位置よりも幾分時計方向下流側に設けられている。そして、コーナー底壁２０の中間角部２０ａの下面には排水口３０を囲んで下方に延びる逆円錐台形状の筒状の案内ノズル３４が形成されている。案内路３２は、コーナー部材１８の上面において、コーナー底壁２０とコーナー内側壁２２とコーナー外側壁２４とによって規定される。上記したとおり、コーナー部材１８の中間角部２０ａには傾斜部２６が設けられていることに起因して、案内路３２の図５（ｂ）における周方向両端部は排水口３０に向かって下方に傾斜している。所望ならば、案内路２６は、その全体が排水口３０に向かって下方に傾斜するようにしてもよい。
【００２４】
上述したコーナー部材１８は嵌合手段２８を隅柱１２の上端部に嵌合させることによってこれに配設される。即ち、コーナー部材１８は、図２を参照することによって理解されるとおり、第一の嵌合筒壁２８ａが排水路１６（即ち円弧壁１２ａと前側外方壁１２ｄと左側前方壁１２ｆとで囲まれる空間）の上端部の内側に、第二の嵌合筒壁２８ｂが前側延長壁１２ｂと前側外方壁１２ｄと前側内方壁１２ｅとにより３方が規定される空間の上端部の内側に（従って片端部２０ｂは前方に位置）、第三の嵌合筒壁２８ｃが左側延長壁１２ｃと左側前方壁１２ｆと左側後方壁１２ｇとにより３方が規定される空間の上端部の内側に（従って他端部２０ｃは左方に位置）夫々嵌入されると共に、嵌合垂下壁２８ｄが円弧壁１２ａ及び前側延長壁１２ｂ並びに左側延長壁１２ｃの外側に位置してこれらを第一の嵌合筒壁２８ａ及び第二の嵌合筒壁２８ｂ並びに第三の嵌合筒壁２８ｃで挟み込むことによって隅柱１２の上端部に固定される。このとき、第一の嵌合筒壁２８ａが案内ノズル３４を囲むことから、案内ノズル３４は排水路１６の内側に挿入されることとなる。
【００２５】
図３及び図４を参照して説明を続けると、天面パネル４の辺部と側面パネル６の上縁部とはレール部材３６を介して固定される。図示の実施形態においては、レール部材３６は、夫々の側面パネル６の上縁部に沿って配設されるサイドレール３８と、天面パネル４の各辺部に沿って配設されるルーフレール４０とからなる。
【００２６】
サイドレール３８は側面パネル６の上端面と面接触するサイドフランジ４２と、このサイドフランジ４２の内側縁部から上方に向かって幾分内側に傾斜して起立するサイド起立壁４４と、サイドフランジ４２の外側縁部及び内側縁部から下方に垂下する側面パネル支持部４６とを有する。サイド起立壁４４の上端部には図示しないボルト穴がサイドレール３８の長手方向において間隔をおいて複数個形成されている。
【００２７】
ルーフレール４０は側面パネル６の上端面と対向するルーフフランジ４８と、このルーフフランジ４８の外側縁部から上方に延びるルーフ外側壁５０と、ルーフ外側壁５０の上端から内側へ延出するルーフ支持壁５２と、ルーフフランジ４８の外側縁部から下方に垂下するルーフ垂下壁５４と、ルーフフランジ４８の内側縁部において少なくとも上方に延びるルーフ内側壁５６とを有する。図４を参照することによって明確に理解されるとおり、ルーフ外側壁５０の長手方向延出端部には、後述するコーナーカバー７０に形成される係合部と係合するコの字状の切欠き５７が形成されている。ルーフ支持壁５２は外側上部５２ａ、内側下部５２ｂ、及び外側上部５２ａと内側下部５２ｂとを接続し外側から内側に向かって下方に傾斜する中間傾斜部５２ｃを有する。外側上部５２ａはルーフ外側壁５０の上端位置よりも幾分下方に位置し、ルーフ外側壁５０と外側上部５２ａとの間には段差５８が設けられている。ルーフ垂下壁５４は、図４を参照することによって明確に理解されるとおり、ルーフレール４０の長手方向延出端部、更に詳しくはルーフレール４０を後述するとおりにして設置した際にコーナー部材１８と干渉する部位、においては形成されていない。ルーフ内側壁５６の断面形状は、外側が開放された横向きのＵ字形状である。そして、レール部材３６の内側には、レール部材３６の内側に進入した雨水を排水路１６に案内する案内手段が配設されている。図示の実施形態においては、案内手段は、その一部がルーフフランジ４８とルーフ外側壁５０とルーフ内側壁５６とによって規定される誘導路６０から構成されている。図４を参照することによって明確に理解されるとおり、誘導路６０の長手方向両延出端は開放されている。
【００２８】
図３及び図４を参照して説明を続けると、天面パネル４は以下のようにしてレール部材３６を介して側面パネル６に支持固定される。即ち、最初に、側面パネル６の上縁部にサイドレール３８を配設すると共に、天面パネルの各辺部にルーフレール４０を配設する。側面パネル６の上縁部にサイドレール３８を配設する際には、側面パネル６の上端面とサイドフランジ４２の下面とを密着させると共に側面パネル６の上端部をサイドレール３８の側面パネル支持部４６で挟み込んだ状態で、側面パネル支持部４６と側面パネル６とをボルトの如き適宜の固定手段で固定する。一方、天面パネル４の各辺部にルーフレール４０を配設する際には、最初に、天面パネル４の各辺部がルーフレール４０のルーフ支持壁５２の外側上部５２ａに支持されるようにして、ルーフレール４０に天面パネル４を載置する。次いで、天面パネル４の外縁部とルーフレール４０の外側上部５２ａとを跨いだ状態で、ルーフレール４０に沿って防水テープ６８を直線状に連続して配設する。かくして、天面パネル４とルーフレール４０とは、天面パネル４の各辺部における長手方向両端部を除く主部とルーフレール４０のルーフ支持壁５２とが防水テープ６８により接続されることで、固定される。防水テープ６８は片面に粘着性を有する周知のものである。
【００２９】
次いで、側面パネル６の上方に天面パネル４を位置付け、上方から天面パネル４を降下させて側面パネル６の上部に載置する。この際には、ルーフフランジ４８の下面がサイドフランジ４２の上面と面接触すると共にルーフ内側壁５６の外側部（荷室に対しては内側部であって図３において右側部）がサイド起立壁４４の外側面（図３において左側面）と当接する。更に、図４を参照することによって理解されるとおり、コーナー部材１８の上面の一部、更に詳しくはコーナー底壁２０の片端部２０ｂ及び他端部２０ｃの上面、は９０度の角度間隔を有して相互に隣接するルーフフランジ４８の夫々の長手方向延出端部の下面と密着する。
【００３０】
ルーフレール４０をサイドレール３８の上面に載置した後に、クリップ部材６２を用いてルーフレール４０とサイドレール３８とを固定する（図３を参照されたい）。クリップ部材６２は平板部６４と係合部６６とを有する。平板部６４は略正方形状であって、その中央領域には図示しないボルト穴が形成されている。係合部６６は平板部６４の下端に接続されており、その断面形状は平板部６４に対して横向きのＵ字形状である。かようなクリップ部材６２の夫々は、クリップ部材６２のボルト穴がサイドレール３８のサイド起立壁４４に設けられたボルト穴と整合する位置において、係合部６６をルーフ内側壁５６に係合させた状態で相互のボルト穴を介してボルト及びナットの如き適宜の締結部材でサイド起立壁４４に固定されることで、ルーフレール４０とサイドレール３８とを固定する。しかる後に、図１のＸ部拡大図に示すとおり、箱型荷台２の前方上方に位置するコーナー部の各々に合成樹脂製のコーナーカバー７０を付設する。コーナーカバー７０には、これが箱型荷台２に付設された際にコーナーカバー７０の裏面に雨水が進入することが防止される図示しない適宜のシール材が配設されている。これにより、コーナーカバー７０は、その裏面への雨水の進入が防止された状態でリベット７２によりルーフレール４０に固定される。この際には、コーナーカバー７０の裏面に形成された図示しない係合部をルーフレール４０の切欠き５７に係合させて仮固定した後に、リベット締結が行われる。
【００３１】
天面パネル４がレール部材３６を介して側面パネル６に支持固定された状態にあっては、図２において鎖線で示すとおり、天面パネル４の外縁が側面パネル６の幅方向内側に整合すると共に天面パネル４の隅がコーナー部材１８の上方に整合することとなる。
【００３２】
続いて、レール部材３６の内側への雨水の進入について、主に図３及び図４を参照して説明する。
上述したとおり、天面パネル４の各辺部における長手方向両端部を除く主部とルーフレール４０のルーフ支持壁５２とは防水テープ６８により接続されていること、及び、コーナーカバー７０の裏面への雨水の進入はシール材により防止されていることに起因して、通常、雨水が荷室内に進入することはない。特に、本実施形態における箱型荷台２においては、天面パネル４とルーフレール４０とは実質上リベットではなく防水テープ６８により固定されているため、天面パネル４の上面に溜まった雨水がリベット穴（リベット締結を行う際に生じる貫通孔）を通して荷室内に進入することが殆ど無い。しかしながら、例えば、コーナーカバー７０の裏面に配設されたシール材の経年劣化が進行するなどした場合には、天面パネル４の上面に溜まった雨水がコーナーカバー７０の裏面に進入してしまうことがある。この場合には、図４を参照することによって明確に理解されるとおり、上記雨水が、天面パネル４の隅部から隅柱１２の上方空間に進入、又は、天面パネル４の隅部から防水テープ６８の上面及びルーフレール４０の切欠き５７を経由してレール部材３６の内側に進入することがある。
【００３３】
上記のとおりに雨水が隅柱１２の上方空間又はレール部材３６の内側に進入した場合であっても、隅柱１２の上方空間に進入した雨水は直接コーナー部材１８に、レール部材３６の内側に進入した雨水は誘導路６０により誘導されてコーナー部材１８に、夫々集積される。そして、コーナー部材１８に集積された雨水は案内路３２及び排水口３０を経て隅柱１２の排水路１６に案内されて排水される。図示の実施形態においては、天面パネル４の外縁が側面パネル６の幅方向内側に整合していると共に天面パネル４の隅がコーナー部材１８の上方に整合していることに起因して、隅柱１２の上方空間に進入した雨水は確実にコーナー部材１８の案内路３２に滴下することとなる。また、誘導路６０はルーフフランジ４８とルーフ外側壁５０とルーフ内側壁５６とによって規定されていること、及びルーフフランジ４８の延出端部の下面はコーナー部材１８の上面の一部と密着していることに起因して、レール部材３６の内側に進入した上記雨水の全てが誘導路６０からコーナー部材１８の案内路３２へ確実に誘導される。そして、案内路３２はコーナー部材１８の上面においてコーナー底壁２０とコーナー内側壁２２とコーナー外側壁２４とによって規定されていることに起因して、雨水は案内路３２から逸脱することなく排水口３０に案内される。この際には、案内路３２の一部は排水口３０に向かって下方に傾斜しているため、雨水は良好な効率で排水口３０に案内される。更に、コーナー部材１８の下面には排水口３０を囲んで下方に延びる案内ノズル３４が設けられており、この案内ノズル３４が排水路１６の内側に挿入されていることに起因して、雨水は確実に排水路１６に案内される。また、図示の実施形態においては、隅柱１２は前方にのみ設けられており、従ってコーナー部材１８も前方にのみ配設されている。そのため、左右方向に位置するレール部材３６の内側に進入した雨水は、箱型荷台２を搭載した車両が減速する際に慣性力によって前方に集中し排水口３０から排水路１６を通って排水される。このことから後方にコーナー部材１８（及び隅柱１２）を配設する必要はなく、その分コスト低減に寄与することとなる。
【００３４】
一方、ルーフレール４０にはルーフフランジ４８の外側縁から下方に垂下するルーフ垂下壁５４が形成されていることに起因して、例えば箱型荷台２の外側面を洗浄すべく側面パネル６の外側面に高圧の洗浄水を吹きかけた場合であっても、洗浄水がルーフ垂下壁５４によってルーフレール４０とサイドレール３８との間（より詳細には、ルーフフランジ４８とサイドフランジ４２との間）からレール部材３６の内側に進入することが阻害される。同様に、サイドレール３８にはサイドフランジ４２の内側縁部から上方に起立するサイド起立壁４４が形成されていることに起因して、上記した洗浄水が荷室内に進入することがより一層確実に防止されることとなる。また、仮に洗浄水がレール部材３６の内側に進入してしまった場合であっても、洗浄水は誘導路６０によってコーナー部材１８へ誘導され、上述した雨水の場合と同様に案内路３２及び排水口３０を通って隅柱１２の排水路１６より荷室外へ排水される。
【００３５】
然るに、本発明に従って構成された箱型荷台２においては、雨水がレール部材３６の内側及び隅柱１２の上方空間に進入した場合であっても、かかる雨水は案内手段（図示の実施形態においてはコーナー部材１８及び誘導路６０）により隅柱１２の内側に設けられた排水路１６に案内されて荷室外に排水されるため、レール部材３６の内側及び隅柱１２の上方空間に進入した雨水によって荷室内に収納した貨物が濡れることが回避される。
【００３６】
以上本発明に従って構成された排水構造を有する箱型荷台について添付した図面を参照して詳細に説明したが、本発明は上記実施形態に限定されるものではなく、種々の変形例が考えられる。例えば、上記実施形態においては、コーナー部材は１部材から構成されているが、これに代えて、コーナー部材を２部材から構成されるようにし、各々のコーナー部材を隅柱の上端部における周方向両端部に配設することで、コーナー部材に排水口を設けることなく案内路から隅柱の排水路へ直接排水することもできる。また、上記実施形態においては、案内手段はコーナー部材と誘導路から構成されたが、これに代えて、コーナー部材を設けることなく誘導路の長手方向延出端を排水路の上方に位置させるなどしてレール部材の内側及び隅柱の上方空間に進入した雨水を誘導路から排水路へ直接案内するようにすることもできる。
【符号の説明】
【００３７】
２：箱型荷台
４：天面パネル
６：側面パネル
１２：隅柱
１６：排水路
１８：コーナー部材
２０：コーナー底壁
２２：コーナー内側壁
２４：コーナー外側壁
３０：排水口
３２：案内路
３４：案内ノズル
３６：レール部材
３８：サイドレール
４０：ルーフレール
６０：誘導路
【図１】
2018052410.tif 000003
【図２】
2018052410.tif 000004
【図３】
2018052410.tif 000005
【図４】
2018052410.tif 000006
【図５】
2018052410.tif 000007